(57)【要約】【課題】ユーザによる操作を減らして、ユーザに必要な情報をネットワーク上から容易に収集することができる設備システムを提供する。【解決手段】１乃至複数の情報提供サーバ５は、インターネットＮＴ２に接続されて、宅内ネットワークＮＴ１を介して宅内の端末装置へ情報を提供し、各設備機器１は、検索トリガ信号を宅内ネットワークＮＴ１に送出する検索トリガ通知部１ｃを備え、親機端末２は、宅内ネットワークＮＴ１を介して検索トリガ信号を受け取る検索トリガ検知部２ｂと、各設備機器１の状態に応じた検索トリガ信号をインターネットＮＴ２上のいずれかの情報提供サーバ５のサイトに関連付けた検索条件テーブル２ｃと、検索条件テーブルを参照して、検索トリガ検知部２ｂが受け取った検索トリガ信号に関連付けられたサイトにアクセスし、当該アクセスしたサイトから所定の情報を収集する情報収集部２ｄとを備える。【選択図】図１
2010206646.tif 000002
【特許請求の範囲】
【請求項１】
１つ以上の設備機器を含む複数の端末装置がネットワークに接続され、各端末装置がネットワークを介して通信を行う設備システムであって、
ネットワークに接続されて、端末装置へ情報を提供する１乃至複数の情報提供手段と、
各設備機器の状態に応じた検索トリガ信号をネットワークに送出する検索トリガ通知手段と、
ネットワークを介して検索トリガ信号を受け取る検索トリガ検知手段と、
各設備機器の状態に応じた検索トリガ信号をネットワーク上のいずれかの情報提供手段に関連付けた検索条件テーブルと、
検索条件テーブルを参照して、検索トリガ検知手段が受け取った検索トリガ信号に関連付けられた情報提供手段にアクセスし、当該アクセスした情報提供手段から所定の情報を収集する情報収集手段と
を備える
ことを特徴とする設備システム。
【請求項２】
前記複数の端末装置は、各設備機器の監視または制御の少なくとも一方を行う親機端末を含み、当該親機端末は、前記検索トリガ検知手段と前記検索条件テーブルと前記情報収集手段とを備えることを特徴とする請求項１記載の設備システム。
【請求項３】
前記設備機器は、ユーザの行動を検知するユーザ行動検知手段と、ユーザ行動検知手段による検知結果を検索トリガ信号としてネットワークに送出する検索トリガ通知手段とを備えることを特徴とする請求項１または２記載の設備システム。
【請求項４】
前記設備機器は、自己の動作内容を検索トリガ信号としてネットワークに送出する検索トリガ通知手段を備えることを特徴とする請求項１または２記載の設備システム。
【請求項５】
前記情報収集手段が収集した情報について報知する報知手段を備えることを特徴とする請求項１乃至４いずれか記載の設備システム。
【請求項６】
前記情報提供手段が提供する各情報の内容を設備機器の動作に関連付けた制御内容テーブルと、制御内容テーブルを参照して、情報提供手段から収集した情報の内容に関連付けられた動作を行うように設備機器を制御する機器制御手段とを備えることを特徴とする請求項１乃至５いずれか記載の設備システム。
【請求項７】
ユーザの在・不在を検知する在・不在検知手段を備え、前記機器制御手段は、在・不在検知手段の検知結果に応じて、設備機器の制御を変更することを特徴とする請求項６記載の設備システム。
【請求項８】
前記検索条件テーブルは、前記関連付けられた各情報提供手段へのアクセスの可否を個別に設定するフィルタリング情報と、当該フィルタリング情報がアクセス不許可に設定されてからアクセス許可に再設定可能となるまでの待ち時間を設定するウェイト情報とを格納し、
前記情報収集手段は、検索条件テーブルを参照して、前記検索トリガ検知手段が受け取った検索トリガ信号に関連付けられた情報提供手段にアクセスする際に、フィルタリング情報とウェイト情報とに基づいてアクセスする
ことを特徴とする請求項１乃至７いずれか記載の設備システム。
【発明の詳細な説明】
【技術分野】
【０００１】
本発明は、設備システムに関するものである。
【背景技術】
【０００２】
戸建住宅や集合住宅等の宅内において、照明機器、空調機器、テレビ等の設備機器をネットワークに接続し、ネットワークを介して各設備機器を監視・制御する設備システムがある。このような設備システムは、外部のネットワークであるインターネットにも接続されており、インターネット上のサイトから必要な情報を取得することができる。
【０００３】
そして、現在、インターネット上に存在する多くのサイトから提供される情報は膨大な量であり、ユーザは、これらの大量の情報の中から欲しい情報を効率よく検索するために、検索サイトや専用の検索画面からキーワードを入力して、キーワードに応じた情報を検索、収集している（例えば、特許文献１参照）。
【先行技術文献】
【特許文献】
【０００４】
【特許文献１】特開２００２−２２３４４６号公報
【発明の概要】
【発明が解決しようとする課題】
【０００５】
しかしながら、上記従来の設備システムでは、情報収集先のサイトや、検索に用いるキーワードを、ユーザ自身が決める必要があり、さらに検索要求の操作もユーザ自身が行う必要があった。例えば、大阪の天気に関する情報を収集したいときは、「大阪の天気」というキーワードを入力した後に、画面上の検索開始ボタンを押す操作が必要となる。
【０００６】
したがって、ユーザ自身がキーワードを指定するため、ユーザが気付いていない情報に関する検索を行うことはできなかった。さらに、ユーザが検索操作を行った場合にのみ検索が開始されて必要な情報が提供されるので、ユーザにとって煩わしい操作が必要となり、設備システム側の状況に基づいてユーザに必要な情報を自動で収集することができなかった。
【０００７】
本発明は、上記事由に鑑みてなされたものであり、その目的は、ユーザによる操作を減らして、ユーザに必要な情報をネットワーク上から容易に収集することができる設備システムを提供することにある。
【課題を解決するための手段】
【０００８】
請求項１の発明は、１つ以上の設備機器を含む複数の端末装置がネットワークに接続され、各端末装置がネットワークを介して通信を行う設備システムであって、ネットワークに接続されて、端末装置へ情報を提供する１乃至複数の情報提供手段と、各設備機器の状態に応じた検索トリガ信号をネットワークに送出する検索トリガ通知手段と、ネットワークを介して検索トリガ信号を受け取る検索トリガ検知手段と、各設備機器の状態に応じた検索トリガ信号をネットワーク上のいずれかの情報提供手段に関連付けた検索条件テーブルと、検索条件テーブルを参照して、検索トリガ検知手段が受け取った検索トリガ信号に関連付けられた情報提供手段にアクセスし、当該アクセスした情報提供手段から所定の情報を収集する情報収集手段とを備えることを特徴とする。
【０００９】
この発明によれば、各設備機器の状態に応じた必要な情報を、検索条件テーブルを参照して自動で収集するので、ユーザによる操作を減らして、ユーザに必要な情報をネットワーク上から容易に収集することができる。
【００１０】
請求項２の発明は、請求項１において、前記複数の端末装置は、各設備機器の監視または制御の少なくとも一方を行う親機端末を含み、当該親機端末は、前記検索トリガ検知手段と前記検索条件テーブルと前記情報収集手段とを備えることを特徴とする。
【００１１】
この発明によれば、各設備機器の監視機能、制御機能と、ネットワーク上からの情報収集機能との両方を親機端末に設けることによって、ネットワーク通信の管理を一元化することができ、システム構成の簡略化を図ることができる。
【００１２】
請求項３の発明は、請求項１または２において、前記設備機器は、ユーザの行動を検知するユーザ行動検知手段と、ユーザ行動検知手段による検知結果を検索トリガ信号としてネットワークに送出する検索トリガ通知手段とを備えることを特徴とする。
【００１３】
この発明によれば、ユーザの行動に適した情報を収集することができる。
【００１４】
請求項４の発明は、請求項１または２において、前記設備機器は、自己の動作内容を検索トリガ信号としてネットワークに送出する検索トリガ通知手段を備えることを特徴とする。
【００１５】
この発明によれば、設備機器の動作内容に適した情報を収集することができる。
【００１６】
請求項５の発明は、請求項１乃至４いずれかにおいて、前記情報収集手段が収集した情報について報知する報知手段を備えることを特徴とする。
【００１７】
この発明によれば、ユーザへの情報提供が可能となる。
【００１８】
請求項６の発明は、請求項１乃至５いずれかにおいて、前記情報提供手段が提供する各情報の内容を設備機器の動作に関連付けた制御内容テーブルと、制御内容テーブルを参照して、情報提供手段から収集した情報の内容に関連付けられた動作を行うように設備機器を制御する機器制御手段とを備えることを特徴とする。
【００１９】
この発明によれば、収集した情報の内容に基づいて、必要な設備機器１をユーザが操作を行うことなく自動制御することができる。
【００２０】
請求項７の発明は、請求項６において、ユーザの在・不在を検知する在・不在検知手段を備え、前記機器制御手段は、在・不在検知手段の検知結果に応じて、設備機器の制御を変更することを特徴とする。
【００２１】
この発明によれば、ユーザの在・不在に応じて、収集した情報に基づく設備機器の制御を変更することによって、さらにきめ細かな自動制御を行うことができる。あるいは、収集情報のみに基づいて自動制御を行うとユーザの意図しない制御になる可能性があるため、在宅時にのみ自動制御を行う設定とすることで、ユーザの意図しない制御を防止することもできる。
【００２２】
請求項８の発明は、請求項１乃至７いずれかにおいて、前記検索条件テーブルは、前記関連付けられた各情報提供手段へのアクセスの可否を個別に設定するフィルタリング情報と、当該フィルタリング情報がアクセス不許可に設定されてからアクセス許可に再設定可能となるまでの待ち時間を設定するウェイト情報とを格納し、前記情報収集手段は、検索条件テーブルを参照して、前記検索トリガ検知手段が受け取った検索トリガ信号に関連付けられた情報提供手段にアクセスする際に、フィルタリング情報とウェイト情報とに基づいてアクセスすることを特徴とする。
【００２３】
この発明によれば、フィルタリング情報およびウェイト情報を用いて、検索条件テーブルの設定を動的に変化させることによって、通信負荷の低減と収集情報の信頼性とを両立させることができる。
【発明の効果】
【００２４】
以上説明したように、本発明では、ユーザによる操作を減らして、ユーザに必要な情報をネットワーク上から容易に収集することができるという効果がある。
【図面の簡単な説明】
【００２５】
【図１】実施形態の設備システムの構成を示す図である。
【図２】同上の設備機器のブロック構成を示す図である。
【図３】同上の親機端末のブロック構成を示す図である。
【図４】同上のユーザインタフェース装置のブロック構成を示す図である。
【図５】同上の検索条件テーブルの構造を示す図である。
【図６】同上の制御内容テーブルの構造を示す図である。
【発明を実施するための形態】
【００２６】
以下、本発明の実施の形態を図面に基づいて説明する。
【００２７】
（実施形態１）
図１は、本実施形態の設備システムの構成を示し、複数の設備機器１（１１，１２，．．．）、親機端末２、ユーザインタフェース装置３等の端末装置が戸建住宅や集合住宅等の宅内に配置されて、宅内ネットワークＮＴ１を介して互いに通信可能に接続しており、ホームシステムＨＳを構成している。さらに、宅内にはルータ４が配置されており、宅内ネットワークＮＴ１はルータ４を介してインターネットＮＴ２に通信可能に接続し、インターネットＮＴ２上には１乃至複数の情報提供サーバ５が設けられている。
【００２８】
設備機器１は、図２に示すように、宅内ネットワークＮＴ１を介して情報を授受する通信部１ａと、設備機器固有の機能をユーザに提供する機能部１ｂと、機能部１ｂの状態に応じた検索トリガ信号を宅内ネットワークＮＴ１に送出する検索トリガ通知部１ｃ（検索トリガ通知手段）とを備えるとともに、ユニークなＩＤ情報（例えば、ＭＡＣアドレス）を割り付けられており、親機端末２によって監視・制御されている。
【００２９】
親機端末２は、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしているホームサーバで構成される。そして、図３に示すように、宅内ネットワークＮＴ１を介して情報を授受する通信部２ａと、設備機器１からの検索トリガ信号を受け取る検索トリガ検知部２ｂ（検索トリガ検知手段）と、機能部１ｂの状態に応じた各検索トリガ信号を情報提供サーバ５内のいずれかのサイト（情報提供手段）のＵＲＬに関連付けた検索条件テーブル２ｃと、検索条件テーブル２ｃを参照して、検索トリガ検知部２ｂが受け取った検索トリガ信号に関連付けられたＵＲＬにアクセスし、当該アクセスしたＵＲＬのサイトから所定の情報を収集する情報収集部２ｄ（情報収集手段）と、所望の設備機器２の機能を制御する機器制御部２ｅ（機器制御手段）と、ユーザに関する情報（ユーザの住所情報、年齢情報、職業情報等）を記憶したユーザ情報記憶部２ｆと、情報提供サーバ５の各サイトが提供する情報の内容を設備機器１の動作に関連付けた制御内容テーブル２ｇとを備える。
【００３０】
ユーザインタフェース装置３は、ブラウザ機能を有して、親機端末２の情報収集部２ｄが収集した情報の内容を報知する報知手段を構成しており、図４に示すように、宅内ネットワークＮＴ１を介して情報を授受する通信部３ａと、親機端末２から受け取った収集情報の報知データを表示する液晶ディスプレイやドライブ回路からなる表示部３ｂと、報知データに応じて音声出力するスピーカ部３ｃとを備える。
【００３１】
ルータ４は、従来周知であるから詳細な構成についての図示並びに説明は省略する。
【００３２】
情報提供サーバ５は、様々な情報を提供する複数のサイトを格納して、各サイトにはＵＲＬが割り付けられており、端末装置はＵＲＬを指定することによって所望のサイトにアクセスして、各サイトから情報を収集する。各サイトから提供される情報としては、天気情報、交通情報、ショッピング情報等がある。
【００３３】
本実施形態では、各設備機器１の監視機能、制御機能と、ネットワーク上からの情報収集機能との両方を親機端末２に設けることによって、ネットワーク通信の管理を一元化することができ、システム構成の簡略化を図っている。
【００３４】
なお、図３の検索トリガ検知部２ｂ、検索条件テーブル２ｃ、情報収集部２ｄ、機器制御部２ｅの各部を親機端末２に全て設ける構成以外に、複数の設備機器１に分散して設ける構成や、ユーザインタフェース装置３に全て設ける構成でもよい。または、設備機器１、親機端末２、ユーザインタフェース装置３以外の端末装置に分散して設ける構成でもよい。
【００３５】
以下、本設備システムの情報検索動作について説明する。
【００３６】
本実施形態において、設備機器１１は湿度センサであり、その機能部１ｂは湿度測定機能で構成されており、宅内の湿度を測定した結果（湿度測定信号）を検索トリガ信号として定期的に親機端末２へ送信する。
【００３７】
また、設備機器１２は人感センサであり、その機能部１ｂは焦電センサ等からなる人検知機能で構成されており、宅内のリビングや寝室等の所定領域に存在する人体を検知した結果（人検知信号）を検索トリガ信号として定期的に親機端末２へ送信する。
【００３８】
また、設備機器１３は在宅スイッチ（在・不在検知手段）であり、その機能部１ｂはスイッチ機能で構成されており、宅内のユーザがスイッチの操作部を切り替えることによって、宅内にユーザがいることを示す在宅信号、または宅内にユーザがいないことを示す不在信号を検索トリガ信号として定期的に親機端末２へ送信する。
【００３９】
また、設備機器１４は時計装置であり、その機能部１ｂは時刻を計時するタイマ機能で構成されており、所定時間毎（例えば５分毎）に現在時刻を示す時刻信号を検索トリガ信号として親機端末２へ送信する。
【００４０】
また、設備機器１５はユーザのスケジュール管理装置であり、その機能部１ｂはユーザのスケジュールを季節、月、曜日、日、時間、分の各単位で設定しており、例えば外出や帰宅等のスケジュールが設定された時刻になったことを示すスケジュール信号を検索トリガ信号として親機端末２へ送信する。
【００４１】
また、設備機器１６はテレビ受像機であり、その機能部１ｂはテレビ機能で構成されており、電源の入切、チャンネルおよびボリューム設定の各設定状態を示す設定状態信号を検索トリガ信号として親機端末２へ送信するとともに、宅内ネットワークＮＴ１を介して受信した制御信号によって電源の入切、チャンネルおよびボリューム設定を行うことができる。
【００４２】
また、設備機器１７は天窓の開閉駆動装置であり、その機能部１ｂは天窓の開閉を行なうモータ等の駆動機能で構成されており、宅内ネットワークＮＴ１を介して受信した制御信号によって天窓の開閉を行うことができる。
【００４３】
また、設備機器１８は照明装置であり、その機能部１ｂは照明機能で構成されており、電源の入切、調光設定の各設定状態を示す設定状態信号を検索トリガ信号として親機端末２へ送信するとともに、宅内ネットワークＮＴ１を介して受信した制御信号によって電源の入切、調光設定を行うことができる。
【００４４】
なお以降では、設備機器１１〜１８を、湿度センサ１１、人感センサ１２、在宅スイッチ１３、時計装置１４、スケジュール管理装置１５、テレビ受像機１６、天窓開閉駆動装置１７、照明装置１８と称し、上記検索トリガ信号は、各設備機器の状態（検知結果、操作状態等）を示している。
【００４５】
そして親機端末２では、検索トリガ検知部２ｂが、設備機器１から送信される検索トリガ信号を受け取り、情報収集部２ｄは、受信した検索トリガ信号に応じて情報提供サーバ５の各サイトから情報収集を行う。
【００４６】
検索条件テーブル２ｃは、図５に示すように、検索トリガ信号の内容、情報提供元サイトのＵＲＬ、関連キーワード、フィルタリング情報、ウェイト情報の各項目で構成されている。情報収集部２ｄは、この検索条件テーブル２ｃを参照して、検索トリガ検知部２ｂが受け取った検索トリガ信号の内容に関連付けられた情報提供元サイトのＵＲＬにアクセスし、アクセスしたサイトから所定の情報を収集する。
【００４７】
例えば、湿度センサ１１が、検索トリガ信号として６０％以下の湿度を示す湿度測定信号を出力した場合、親機端末２の情報収集部２ｄは、情報提供サーバ５の天気情報サイトのＵＲＬにアクセスし、天気に関する情報を収集する。このとき、天気情報は地域毎に異なるため、関連キーワードにユーザの住所を設定しており、情報収集部２ｄはユーザ情報記憶部２ｆからユーザの住所情報を読み出し、天気情報サイトにアクセスする際にはこの住所情報を引数に設定しておく。天気情報サイトでは、親機端末２からのアクセス時に引数に設定されている住所情報に基づいて、ユーザの住所が属する地域に関する天気情報のみを親機端末２の情報収集部２ｄへ提供する。このように、関連キーワードにユーザの住所を設定することによって、ユーザにより合致した情報を収集することができる。
【００４８】
また、検索トリガ信号として６０％以下の湿度を示す湿度測定信号が出力されると常に天気情報サイトにアクセスしていたのでは、天気情報サイト側の負荷が大きくなって、場合によってはサイト側でアクセス制限を実施することがある。そこで、情報収集部２ｄは、天気情報サイトにアクセスして天気情報を収集すると、フィルタリング情報をオフからオンに切り替え、フィルタリング情報がオンの間は、６０％以下の湿度を示す湿度測定信号を受信しても天気情報サイトへのアクセスを行わないことで、サイト側への負荷や通信トラフィックを低減している。
【００４９】
そして、ウェイト情報を３時間に設定しておき、フィルタリング情報がオンに切り替わってから３時間が経過した時点で、フィルタリング情報をオンからオフに再び切り替えることで、６０％以下の湿度を示す湿度測定信号を受信したときに天気情報サイトにアクセス可能な状態に復帰する。すなわち、ウェイト情報は、フィルタリング情報がアクセス不許可に一旦設定されてからアクセス許可に再設定可能となるまでの待ち時間を設定している。
【００５０】
したがって、天気情報は時間経過にともなって変化する場合があるが、このようにフィルタリング情報およびウェイト情報を用いて、検索条件テーブル２ｃの設定を動的に変化させることによって、通信負荷の低減と収集情報の信頼性とを両立させている。
【００５１】
そして、情報収集部２ｄは、天気情報サイトから収集した天気情報をユーザインタフェース装置３へ送信する。親機端末２から天気情報を受け取ったユーザインタフェース装置３は、表示部３ｂに天気情報を表示することによって、ユーザに天気情報の検索結果を報知する。このとき、スピーカ部３ｃからブザー音または人の音声を出力することによって、ユーザに天気情報の新着を報知してもよい。
【００５２】
また、時計装置１４が、検索トリガ信号としてＰＭ７：００を示す時刻信号を出力した場合、親機端末２の情報収集部２ｄは、情報提供サーバ５の犯罪情報サイトのＵＲＬにアクセスし、犯罪に関する情報を収集する。このとき、犯罪情報は地域毎に異なるため、関連キーワードにユーザの住所を設定しており、情報収集部２ｄはユーザ情報記憶部２ｆからユーザの住所情報を読み出し、犯罪情報サイトにアクセスする際にはこの住所情報を引数に設定しておく。犯罪情報サイトでは、親機端末２からのアクセス時に引数に設定されている住所情報に基づいて、ユーザの住所が属する地域に関する犯罪情報のみを親機端末２の情報収集部２ｄへ提供する。
【００５３】
そして、情報収集部２ｄは、犯罪情報サイトから収集した犯罪情報をユーザインタフェース装置３へ送信する。親機端末２から犯罪情報を受け取ったユーザインタフェース装置３は、表示部３ｂに犯罪情報を表示することによって、ユーザに犯罪情報の検索結果を報知する。このとき、スピーカ部３ｃからブザー音または人の音声を出力することによって、ユーザに犯罪情報の新着を報知してもよい。
【００５４】
この犯罪情報を見たユーザは、その地域での犯罪の発生を知ると、戸締りに注意する等の対策を行うことができる。また、天気情報と同様に、フィルタリング情報およびウェイト情報を用いて、検索条件テーブル２ｃの設定を動的に変化させることによって、通信負荷の低減と収集情報の信頼性とを両立させることも可能である。
【００５５】
また、時計装置１４が検索トリガ信号として出力する時刻信号を用いて、特定の日付、曜日、季節を検索トリガとして、指定したサイトから必要な情報を収集してもよい。
【００５６】
このように、湿度センサ１１の検知結果や時計装置１４の計時結果のような設備機器１の動作内容に基づいて、情報を収集することによって、設備機器１の動作内容に適した情報を収集することができる。
【００５７】
また、スケジュール管理装置１５が、検索トリガ信号としてユーザのスケジュール１、スケジュール２、．．．、スケジュールＸが設定された時刻になったことを示すスケジュール信号を出力した場合、親機端末２の情報収集部２ｄは、情報提供サーバ５の汎用検索サイトのＵＲＬにアクセスし、当該汎用検索サイトを用いて関連キーワードに設定された語句を用いた検索を行い、当該検索した情報を収集する。このとき、関連キーワードには、スケジュール管理装置１５にて設定されているスケジュール１，２．．．，Ｘの内容が設定されており、スケジュール１，２．．．，Ｘの内容に関連した情報を収集できる。
【００５８】
そして、情報収集部２ｄは、汎用検索サイトから収集したスケジュール１，２．．．，Ｘの関連情報をユーザインタフェース装置３へ送信する。親機端末２からスケジュール関連情報を受け取ったユーザインタフェース装置３は、表示部３ｂにスケジュール関連情報を表示することによって、ユーザにスケジュール関連情報の検索結果を報知する。このとき、スピーカ部３ｃからブザー音または人の音声を出力することによって、ユーザにスケジュール関連情報の新着を報知してもよい。
【００５９】
このスケジュール関連情報を見たユーザは、例えばスケジュールＸに設定された外出先の情報（交通手段、地図、所要時間等）を取得することができ、行動計画を容易に作成できる。また、天気情報と同様に、フィルタリング情報およびウェイト情報を用いて、検索条件テーブル２ｃの設定を動的に変化させることによって、通信負荷の低減と収集情報の信頼性とを両立させることも可能である。
【００６０】
また、人感センサ１２が、検索トリガ信号としてリビングにおける人検知信号を出力するとともに、テレビ受像機１６が、検索トリガ信号として電源入を示す設定状態信号を出力した場合、親機端末２の情報収集部２ｄは、情報提供サーバ５のテレビ番組情報サイトのＵＲＬにアクセスし、テレビ番組に関する番組表等の情報を収集する。このとき、受信可能なテレビ番組は地域および時刻毎に異なるため、関連キーワードにユーザの住所および時刻を設定しており、情報収集部２ｄはユーザ情報記憶部２ｆからユーザの住所情報を読み出し、さらには時計装置１４から現在時刻の情報を取得し、テレビ番組情報サイトにアクセスする際にはこの住所情報および時刻情報を引数に設定しておく。テレビ番組情報サイトでは、親機端末２からのアクセス時に引数に設定されている住所情報および時刻情報に基づいて、ユーザの住所が属する地域で現在視聴可能なテレビ番組に関する情報のみを親機端末２の情報収集部２ｄへ提供する。
【００６１】
そして、情報収集部２ｄは、テレビ番組情報サイトから収集したテレビ番組情報をユーザインタフェース装置３へ送信する。親機端末２からテレビ番組情報を受け取ったユーザインタフェース装置３は、表示部３ｂにテレビ番組情報を表示することによって、ユーザにテレビ番組情報の検索結果を報知する。このとき、スピーカ部３ｃからブザー音または人の音声を出力することによって、ユーザにテレビ番組情報の新着を報知してもよい。
【００６２】
このテレビ番組情報を見たユーザは、その地域で現在視聴可能なテレビ番組を知ることができ、番組選択の参考になる。また、天気情報と同様に、フィルタリング情報およびウェイト情報を用いて、検索条件テーブル２ｃの設定を動的に変化させることによって、通信負荷の低減と収集情報の信頼性とを両立させることも可能である。
【００６３】
また、人感センサ１２が、検索トリガ信号として寝室における人検知信号を出力するとともに、照明装置１８が、検索トリガ信号として、電源切または就寝時の調光レベルを示す設定状態信号を出力した場合、親機端末２の情報収集部２ｄは、ユーザの就寝を検知して、情報提供サーバ５の音楽情報サイトのＵＲＬにアクセスし、睡眠に適した音楽データを収集する。
【００６４】
そして、情報収集部２ｄは、音楽情報サイトから収集した音楽データのリスト情報をユーザインタフェース装置３へ送信する。親機端末２から音楽データのリスト情報を受け取ったユーザインタフェース装置３は、表示部３ｂに音楽データのリストを表示することによって、ユーザに睡眠に適した音楽データの検索結果を報知する。このとき、スピーカ部３ｃからブザー音または人の音声を出力することによって、ユーザに音楽データのリスト情報の新着を報知してもよい。
【００６５】
この音楽データのリスト情報を見たユーザは、睡眠に適した音楽を知ることができ、表示部３ｂのＧＵＩ機能によって所望の音楽データを選択することによって再生し、スピーカ部３ｃから出力することができる。また、天気情報と同様に、フィルタリング情報およびウェイト情報を用いて、検索条件テーブル２ｃの設定を動的に変化させることによって、通信負荷の低減と収集情報の信頼性とを両立させることも可能である。
【００６６】
このように、人感センサ１２の検知結果やスケジュール管理装置１５のスケジュール設定やテレビ受像機１６および照明装置１８の設定状態に基づいて、外出やテレビの視聴や就寝等のユーザの行動を検知することによって（ユーザ行動検知手段）、ユーザの行動に適した情報を収集することができる。
【００６７】
したがって本実施形態の設備システムでは、親機端末２が、設備機器１の動作内容やユーザの行動に応じて、インターネットＮＴ２上のサイトから、設備機器１の動作内容に適した情報やユーザの行動に適した情報を自動で収集し、その収集情報をユーザインタフェース装置３でユーザに報知しており、ユーザによる操作を減らして、ユーザに必要な情報をインターネットＮＴ２上のサイトから容易に収集することができるとともに、ユーザへの情報提供も可能となる。
【００６８】
また、検索条件テーブル２ｃの関連キーワードは、ユーザによって予め設定されており、ユーザによるキーワード入力を情報収集の度に行うことが不要となり、さらなるユーザ操作の低減化を図ることができる。また、検索条件テーブル２ｃの関連キーワードを工場出荷時、施工時に予め設定することで、ユーザが思い付かないキーワードが設定されることになり、ユーザが気付いていない情報に関する検索を行うことが可能となる。さらに、関連キーワードをユーザ毎に設定すれば、ユーザ毎に関連キーワードを異なる設定とすることができ、各ユーザに対して最適にカスタマイズされた情報を収集することができる。
【００６９】
次に、親機端末２の機器制御部２ｅによる機器制御について説明する。親機端末２の制御内容テーブル２ｇは、図６に示すように、収集情報の内容に制御内容を関連付けており、機器制御部２ｇは、制御内容テーブル２ｇを参照して、情報収集部２ｄがサイトから収集した情報の内容に対応する制御内容の制御信号を設備機器１へ送信する。
【００７０】
例えば、情報収集部２ｄが天気情報サイトにアクセスして天気情報を収集し、この天気情報が雨の予報を含む場合、機器制御部２ｅは、天窓開閉駆動装置１７に対して天窓を閉じる制御信号を送信し、雨の侵入を予め防止しておく。この場合、天窓の開閉以外に、物干し竿を自動で折りたたんで収納する駆動装置に制御信号を送信することも可能である。
【００７１】
また、情報収集部２ｄが天気情報サイトから収集した天気情報が晴れの予報を含む場合、機器制御部２ｅは、換気装置（図示無し）を動作させて、宅内の換気を自動で行うことも可能である。
【００７２】
また、情報収集部２ｄがテレビ番組情報サイトから収集した番組情報がスポーツ番組の放送予定を含む場合、機器制御部２ｅは、録画装置（図示無し）を動作させて、スポーツ番組の録画を自動で行うことも可能である。
【００７３】
このように、収集した情報の内容に基づいて、必要な設備機器１をユーザが操作を行うことなく自動制御することができる。
【００７４】
さらに、ユーザの在宅・不在に応じて、情報収集や、収集した情報に基づく機器制御を変更することによって、さらにきめ細かな自動制御を行うことができる。
【００７５】
例えば、外出するユーザが在宅スイッチ１３を操作して不在信号を親機端末２へ送信すると、親機端末２の情報収集部２ｄは、不在信号が入力されている間は、ユーザが不在であると判断する。そして、情報収集部２ｄは、ユーザが不在であれば天気情報を収集する必要はないため、検索条件テーブル２ｃの情報提供元サイトＵＲＬの項目に天気情報サイトのＵＲＬが設定されている場合は、この天気情報サイトのＵＲＬに対応するフィルタリング情報をオンに切り替え、天気情報サイトへのアクセスを禁止し、無駄な通信トラフィックを低減させる。
【００７６】
また、この不在状態が所定期間以上継続した場合には、天気情報サイトのＵＲＬに対応するフィルタリング情報をオフに切り替え、天気情報サイトへのアクセスを許可する。そして、天気情報サイトから収集した天気情報が晴れの予報を含む場合には、換気装置を動作させて、宅内の換気を自動で行うことも可能である。
【００７７】
一方、帰宅したユーザが在宅スイッチ１３を操作して在宅信号を親機端末２へ送信すると、親機端末２の情報収集部２ｄは、在宅信号が入力されている間は、ユーザが在宅であると判断する。そして、情報収集部２ｄは、ユーザが在宅であれば天気情報を収集するが、換気装置の自動制御は行わない。
【００７８】
あるいは、収集情報のみに基づいて自動制御を行うとユーザの意図しない制御になる可能性があるため、在宅時にのみ自動制御を行う設定とすることで、ユーザの意図しない制御を防止することもできる。
【符号の説明】
【００７９】
１（１１〜１５）  設備機器
１ｃ  検索トリガ通知部
２  親機端末
２ｂ  検索トリガ検知部
２ｃ  検索条件テーブル
２ｄ  情報収集部
３  ユーザインタフェース装置
４  ルータ
５  情報提供サーバ
ＮＴ１  宅内ネットワーク
ＮＴ２  インターネット
【図１】
2010206646.tif 000003
【図２】
2010206646.tif 000004
【図３】
2010206646.tif 000005
【図４】
2010206646.tif 000006
【図５】
2010206646.tif 000007
【図６】
2010206646.tif 000008